(57)【要約】  超解像情報記録媒体のデータ再生方法及び装置が開示される。本発明によって入射された光ビームの分解能以下の大きさを有するマークで記録されたデータの再生が可能な超解像情報記録媒体に記録されたデータを再生する方法は、情報記録媒体の相異なる位置に超解像現象が起こるパワーを有する第１ビームと超解像現象が起こらないパワーを有する第２ビームとを照射する段階と、第１ビームによる第１再生信号と第２ビームによる第２再生信号を検出する段階と、第１再生信号と第２再生信号との時間差を補償して演算する段階とを含む。このような構成によれば、再生ビームのスポットの超解像領域以外の周辺領域で反射されてくる信号を排除することによって、再生信号特性を向上させる。
2008505426.tif 000002
【特許請求の範囲】
【請求項１】
入射された光ビームの分解能以下の大きさを有するマークで記録されたデータの再生が可能な超解像情報記録媒体に記録されたデータを再生する方法において、
前記情報記録媒体の相異なる位置に、超解像現象が起こるパワーを有する第１ビームと超解像現象が起こらないパワーを有する第２ビームとを照射する段階と、
前記第１ビームによる第１再生信号と第２ビームによる第２再生信号とを検出する段階と、
前記第１再生信号と第２再生信号との時間差を補償して演算する段階とを含むことを特徴とするデータ再生方法。
【請求項２】
前記演算段階は、
前記第１再生信号と第２再生信号とを差動演算する段階を含むことを特徴とする請求項１に記載のデータ再生方法。
【請求項３】
前記相異なる位置は、同じトラック上の相異なる位置であることを特徴とする請求項１に記載のデータ再生方法。
【請求項４】
前記照射段階は、
１つの光源から出射されたビームを分光素子を用いて前記第１ビームと前記第２ビームとに分光する段階を含むことを特徴とする請求項１に記載のデータ再生方法。
【請求項５】
前記照射段階は、
前記第１ビームと第２ビームとを独立して備えた第１光源と第２光源から各々照射する段階を含むことを特徴とする請求項１に記載のデータ再生方法。
【請求項６】
前記分光段階で、
前記分光素子から生成された複数の回折ビームのうち、＋ｋ次回折ビームを前記第１ビームとして利用し、−ｋ次回折ビームを前記第２ビームとして利用することを特徴とする請求項３記載のデータ再生方法。
【請求項７】
前記分光段階で、
前記分光素子から生成された複数の回折ビームのうち、−ｋ次回折ビームを前記第１ビームとして利用し、＋ｋ次回折ビームを前記第２ビームとして利用することを特徴とする請求項３に記載のデータ再生方法。
【請求項８】
前記分光素子は、ブレーズ型のグレイティング素子であることを特徴とする請求項６に記載のデータ再生方法。
【請求項９】
前記分光素子は、ブレーズ型のグレイティング素子であることを特徴とする請求項１に記載のデータ再生方法。
【請求項１０】
入射された光ビームの分解能以下の大きさを有するマークで記録されたデータの再生が可能な超解像情報記録媒体に記録されたデータを再生する方法において、
超解像パワーの第１ビームを前記情報記録媒体に照射する段階と、
前記第１ビームが照射された同一位置に非超解像パワーの複数の第２ビームを所定の時間差をおいて照射する段階と、
前記第１ビームによる第１再生信号と前記第２ビームによる第２再生信号とに基づいて最終再生信号を検出する段階とを含むことを特徴とするデータ再生方法。
【請求項１１】
前記検出段階は、
前記第１再生信号と第２再生信号とを差動演算する段階を含むことを特徴とする請求項１０に記載のデータ再生方法。
【請求項１２】
前記検出段階は、
前記第１再生信号と前記第２再生信号との前記所定時間差を補償する段階をさらに含むことを特徴とする請求項１１に記載のデータ再生方法。
【請求項１３】
前記検出段階は、
前記最終再生信号のジッタまたはｂＥＲが最小になるように前記所定時間差を補償する段階をさらに含むことを特徴とする請求項１１に記載のデータ再生方法。
【請求項１４】
前記検出段階は、
前記第１ビームによりプリピットまたはユーザデータとして使われない所定の判別情報を再生した時間と、前記第２ビームによりプリピットまたはユーザデータとして使われない所定の判別情報を再生した時間との差を用いて前記所定時間差を補償する段階をさらに含むことを特徴とする請求項１１に記載のデータ再生方法。
【請求項１５】
前記検出段階は、
ウォッブル信号を用いて前記所定時間差を補償する段階をさらに含むことを特徴とする請求項１１に記載のデータ再生方法。
【請求項１６】
１つの光源から出射されたビームを分光素子を用いて前記超解像ビームと前記複数の非超解像ビームとに分光する段階をさらに含むことを特徴とする請求項１０に記載のデータ再生方法。
【請求項１７】
入射された光ビームの分解能以下の大きさを有するマークで記録されたデータの再生が可能な超解像情報記録媒体に記録されたデータを再生する装置において、
前記情報記録媒体の相異なる位置に超解像現象が起こるパワーを有する第１ビームと超解像現象が起こらないパワーを有する第２ビームとを照射するピックアップ部と、
前記第１ビームによる第１再生信号と第２ビームによる第２再生信号とを検出し、前記第１再生信号と第２再生信号との時間差を補償して演算する信号処理部と、
前記信号処理部から入力された信号を用いて前記ピックアップ部を制御する制御部と、を備えることを特徴とするデータ再生装置。
【請求項１８】
前記信号処理部は、
前記第１再生信号と第２再生信号とを差動演算する演算部を備えることを特徴とする請求項１７に記載のデータ再生装置。
【請求項１９】
前記相異なる位置は、同じトラック上の相異なる位置であることを特徴とする請求項１７に記載のデータ再生装置。
【請求項２０】
前記ピックアップ部は、
光源と、
前記光源から出射されたビームを第１ビームと第２ビームとに分光させる分光素子を備えることを特徴とする請求項１７に記載のデータ再生装置。
【請求項２１】
前記第１ビームは、前記分光素子から生成された複数の回折ビームのうち、＋ｋ次回折ビームに対応し、前記第２ビームは、−ｋ次回折ビームに対応することを特徴とする請求項２０に記載のデータ再生装置。
【請求項２２】
前記第１ビームは、前記分光素子から生成された複数の回折ビームのうち、−ｋ次回折ビームに対応し、前記第２ビームは、＋ｋ次回折ビームに対応することを特徴とする請求項２０に記載のデータ再生装置。
【請求項２３】
前記分光素子は、ブレーズ型のグレイティング素子であることを特徴とする請求項２０に記載のデータ再生装置。
【請求項２４】
前記分光素子は、ブレーズ型のグレイティング素子であることを特徴とする請求項２２に記載のデータ再生装置。
【請求項２５】
前記ピックアップ部は、前記第１ビームを照射する第１光源と第２ビームを照射する第２光源とを独立的に備えることを特徴とする請求項１７に記載のデータ再生装置。
【請求項２６】
入射された光ビームの分解能以下の大きさを有するマークで記録されたデータの再生が可能な超解像情報記録媒体に記録されたデータを再生する装置において、
超解像パワーの第１ビームを前記情報記録媒体に照射し、前記第１ビームが照射された同一位置に非超解像パワーの複数の第２ビームを所定時間差をおいて照射するピックアップ部と、
前記第１ビームによる第１再生信号と前記第２ビームによる第２再生信号とに基づいて最終の再生信号を検出する信号処理部と、
前記信号処理部からの出力信号を用いて前記ピックアップ部を制御する制御部と、を備えることを特徴とするデータ再生装置。
【請求項２７】
前記信号処理部は、
前記第１再生信号と第２再生信号とを差動演算する演算部を備えることを特徴とする請求項２６に記載のデータ再生装置。
【請求項２８】
前記信号処理部は、
前記第１再生信号及び前記第２再生信号の前記所定時間差を補償する補償部をさらに備えることを特徴とする請求項２７に記載のデータ再生装置。
【請求項２９】
前記補償部は、
前記最終再生信号のジッタまたはｂＥＲが最小となるように前記所定時間差を補償することを特徴とする請求項２８に記載のデータ再生装置。
【請求項３０】
前記補償部は、
前記第１ビームによりプリピットまたはユーザデータとして用いられない所定の判別情報を再生した時間と前記第２ビームによりプリピットまたはユーザデータとして用いられない所定の判別情報を再生した時間との差を用いて前記所定時間差を補償することを特徴とする請求項２８に記載のデータ再生装置。
【請求項３１】
前記補償部は、
ウォッブル信号を用いて前記所定時間差を補償することを特徴とする請求項２８に記載のデータ再生装置。
【請求項３２】
前記ピックアップ部は、
光源と、
前記光源から出射されたビームを第１ビームと複数の第２ビームとに分光させる分光素子と、を備えることを特徴とする請求項２６に記載のデータ再生装置。
【請求項３３】
前記ピックアップ部は、
前記第１ビームを照射する第１光源と前記複数の第２ビームを照射する第２光源とを備えることを特徴とする請求項２６に記載のデータ再生装置。
【請求項３４】
記録媒体に記録されたデータを再生する方法において、
前記記録媒体に形成されたマークに第１分解能を有する第１ビームを照射する段階と、
前記記録媒体に形成された前記マークに第２分解能を有する第２ビームを照射する段階と、
前記第１ビームに基づいた第１再生信号及び前記第２ビームに基づいた第２再生信号を検出する段階と、
前記第１及び第２再生信号を処理する段階と、
前記処理された第１及び第２再生信号に基づいて前記第１及び第２再生信号間の時間遅延を計算する段階とを含むことを特徴とする再生方法。
【請求項３５】
前記第１再生信号及び第２再生信号間の時間遅延は、ジッタまたはｂＥＲ方法により計算されることを特徴とする請求項３４に記載の再生方法。
【請求項３６】
前記第１再生信号及び第２再生信号間の時間遅延は、前記記録媒体に形成されたプリピットを用いるか、または所定の識別情報を用いて計算されることを特徴とする請求項３４に記載の再生方法。
【請求項３７】
前記第１再生信号及び第２再生信号間の時間遅延は、ウォッブル信号を用いて計算されることを特徴とする請求項３４に記載の再生方法。
【請求項３８】
前記第１及び第２ビームの周辺領域から反射された信号成分は、前記差動信号から排除されることを特徴とする請求項２に記載の再生方法。
【請求項３９】
超解像領域からの信号成分のみ前記差動信号に残ることを特徴とする請求項２に記載の再生方法。
【請求項４０】
前記第１及び第２ビームの収差量は実質的に同じであることを特徴とする請求項１に記載の再生方法。
【発明の詳細な説明】
【技術分野】
【０００１】
本発明は、超解像情報記録媒体に記録されたデータを再生する方法及び装置に係り、さらに詳細には、超解像情報記録媒体で信号間干渉（ＩＳＩ）を解消して再生信号特性を向上させうる超解像情報記録媒体のデータ再生方法及び装置に関する。
【背景技術】
【０００２】
光記録媒体は、非接触式で情報の記録再生を行う光ピックアップ装置の情報記録媒体として用いられるものであって、産業発展に伴って保存される情報の記録密度も高まることが要求されている。このために、レーザビームの分解能以下の大きさの記録マークを超解像現象を用いて再生可能な光記録媒体が開発されている。
【０００３】
一般的に、記録媒体に記録されたデータを再生するための光源の波長がλであり、対物レンズの開口数がＮＡである時、λ／４ＮＡが再生分解能の限界となる。すなわち、光源から照射された光が、λ／４ＮＡより小さな記録マークは、区分できず、データ再生が不可能であるということが一般的である。
【０００４】
ところで、このような分解能限界を超える大きさを有する記録マークを再生できる超解像現象が起こり、このような超解像現象に対する原因分析及び研究開発が進行しつつある。超解像現象によれば、分解能限界を超える大きさを有する記録マークに対しても再生が可能なために、超解像情報記録媒体は、高密度及び高容量の要求を画期的に充足させうる。
【０００５】
超解像情報記録媒体の商用化のためには、記録媒体として基本的に要求される記録特性及び再生特性を満足させねばならない。特に、超解像情報記録媒体は、一般的な情報記録媒体に比べて相対的に高いパワーの記録ビームと再生ビームとを使用するために、信号対雑音比（Ｃａｒｒｉｅｒ−ｔｏ−Ｎｏｉｓｅ  Ｒａｔｉｏ：ＣＮＲ）、ジッタ特性、ＲＦ信号のような再生信号特性の確保と再生信号の安定性の具現が超解像情報記録媒体の主な課題となっている。超解像情報記録媒体を実用化させるには、まず再生信号特性を満足させねばならない。
【０００６】
図１を参照して、超解像情報記録媒体に照射された再生ビームのスポットで超解像現象が起こる領域を説明する。図１を参照するに、超解像情報記録媒体のトラック１００に沿ってマーク１１０が記録され、超解像層に集束される光スポット１２０内で部分的な光度差によって温度分布変化または光学的特性変化が起こるために、分解能限界を超える大きさを有するマーク１１０に対しても再生が可能である。すなわち、光スポット１２０の一部領域で温度分布変化または光学的特性変化が起こり、一部領域の周辺領域１４０ではこのような変化が発生しないものと見られる。変化が起こる前記一部領域は、図１に示されたように、光スポット１２０の中心部になるか、または後半部になり、このような一部領域が超解像領域１３０をなす。このような光学特性変化領域の区分は、連続的でも、非連続的でもあり得る。
【０００７】
実際に色々な超解像材料を使用した超解像再生により分解能より小さな同じ長さのマークから実用化を検討できるほどのＣＮＲを得たという多くの報告があった。しかし、実際の光記録は、同じ長さのマークを同じ間隔に記録するものではなく、同じ長さのマークを、間隔を異ならせて記録するか（マークポジション検出方法）、異なる長さのマークを、間隔を異ならせて記録（マークレングス検出方法）してなされる。特にＣＤやＤＶＤなど実用化された場合においては、クロック周波数をＴとする時、３Ｔから１１Ｔまでの多様な長さのマークが複合的に使われる。現在、前述したいかなる超解像技術もこのような複合的な信号を成功的に再生した例がない。
【０００８】
その理由は、光記録媒体から反射される信号が光学特性変化の領域でのみ出るものではなく、レーザスポット全体から得られるためである。もし、光学特性変化領域を除いた領域から反射される信号が全然なければ、実際のスポットサイズが縮まるために、複合信号の再生が可能となる。しかし、前の超解像技術においては、光学特性変化領域とその周辺領域との光学的特性差を用いて、またその差が比較的小さいために、周辺領域から反射される信号がスポットサイズを縮めるのに妨害要素として作用する。その結果、一連のマーク再生時に生じる信号間干渉（インター  シンポリック  インターフェアレンス：ＩＳＩ）問題が発生するために、複合信号を鮮明に再生できない。
【０００９】
図２Ａは、情報記録媒体に記録されたマークの記録パターンを、図２Ｂは、このようなパターンのマークを再生したＲＦ信号を示す図である。記録パターンは、レーザビームの波長が４０５ｎｍであり、ＮＡが０．８５であり、分解能が約１１９ｎｍである時、分解能より小さな７５ｎｍ長さのマークと分解能より大きい３００ｎｍ長さのマークとスペースとの組合わせによる記録パターンを示す。図２Ｂの再生信号を見れば、３００ｎｍ長さのマークまたはスペースが光スポットの周辺にある時、このマークとスペースとの影響により７５ｎｍ長さのマークが明確に検出されないということが分かる。このような部分がＡ、Ｂ、Ｃ、Ｄ、Ｅ、Ｆで表される。また、７５ｎｍマークとスペースの数によって再生信号のレベルが変わることが分かる。例えば、２個の７５ｎｍマークが記録された部分Ｄと３個の７５ｎｍマークが記録された部分Ｅとで検出される信号のレベルは異なる。また、７５ｎｍ長さのマークとスペースとがある時、このマークの周辺の状況により信号レベルが一定しておらず、傾斜して検出される。
【００１０】
このような問題は、光スポットの超解像領域以外に周辺領域から得られる信号によるＩＳＩによって発生する。
【発明の開示】
【発明が解決しようとする課題】
【００１１】
本発明は、前記問題点を解決するために創出されたものであって、超解像情報記録媒体に対して再生ビームを照射する時、温度分布変化または光学特性変化が起こる超解像領域の周辺領域からの再生信号を排除して信号間干渉を防止することによって、記録されたデータを正確に再生できる方法及び装置を提供するところにその目的がある。
【課題を解決するための手段】
【００１２】
本発明による情報記録媒体に記録されたデータの再生方法は、入射された光ビームの分解能以下の大きさを有するマークで記録されたデータの再生が可能な超解像情報記録媒体に記録されたデータを再生する方法において、前記情報記録媒体の相異なる位置に超解像現象が起こるパワーを有する第１ビームと超解像現象が起こらないパワーを有する第２ビームとを照射する段階と、前記第１ビームによる第１再生信号と第２ビームによる第２再生信号とを検出する段階と、前記第１再生信号と第２再生信号との時間差を補償して演算する段階を含む。
【００１３】
前記演算段階は、前記第１再生信号と第２再生信号とを差動演算する段階を含むことが望ましい。前記相異なる位置は、同じトラック上の相異なる位置であることが望ましい。
【００１４】
前記照射段階は、１つの光源から出射されたビームを分光素子を用いて前記ビームを前記第１ビームと前記第２ビームとに分光する段階を含むことが望ましい。前記分光段階において、前記分光素子から生成された複数の回折ビームのうち、＋ｋ次回折ビームを前記第１ビームとして利用し、−ｋ次回折ビームを前記第２ビームとして利用することもでき、前記分光素子から生成された複数の回折ビームのうち、−ｋ次回折ビームを前記第１ビームとして利用し、＋ｋ次回折ビームを前記第２ビームとして利用することもできる。また、前記分光素子は、ブレーズ型のグレイティング素子であることが望ましい。
【００１５】
前記照射段階は、前記第１ビームと第２ビームとを独立して備えた第１光源と第２光源とから各々照射する段階を含むことが望ましい。
【００１６】
本発明の他の特徴は、入射された光ビームの分解能以下の大きさを有するマークで記録されたデータの再生が可能な超解像情報記録媒体に記録されたデータを再生する方法において、超解像パワーの第１ビームを前記情報記録媒体に照射する段階と、前記第１ビームが照射された同一位置に非超解像パワーの第２ビームを所定時間差をおいて照射する段階と、前記第１ビームによる第１再生信号と前記第２ビームによる第２再生信号に基づいて最終再生信号を検出する段階とを含む。
【００１７】
前記検出段階は、前記第１再生信号と前記第２再生信号との前記所定時間差を補償する段階をさらに含むことが望ましい。
【００１８】
前記検出段階は、前記最終再生信号のジッタまたはｂＥＲが最小となるように前記所定時間差を補償する段階をさらに含むか、前記第１ビームによりプリピットまたはユーザデータに用いられない所定の判別情報を再生した時間と前記第２ビームによりプリピットまたはユーザデータに用いられない所定の判別情報を再生した時間との差を用いて前記所定時間差を補償する段階をさらに含むか、ウォッブル信号を用いて前記所定時間差を補償する段階をさらに含むことが望ましい。
【００１９】
本発明のさらに他の特徴は、入射された光ビームの分解能以下の大きさを有するマークで記録されたデータの再生が可能な超解像情報記録媒体に記録されたデータを再生する装置において、前記情報記録媒体の相異なる位置に超解像現象が起こるパワーを有する第１ビームと超解像現象が起こらないパワーを有する第２ビームとを照射するピックアップ部と、前記第１ビームによる第１再生信号と第２ビームによる第２再生信号とを検出し、前記第１再生信号と第２再生信号との時間差を補償して演算する信号処理部と、前記信号処理部から入力された信号を用いて前記ピックアップ部を制御する制御部と、を備える。
【００２０】
本発明のさらに他の特徴は、入射された光ビームの分解能以下の大きさを有するマークで記録されたデータの再生が可能な超解像情報記録媒体に記録されたデータを再生する装置において、超解像パワーの第１ビームを前記情報記録媒体に照射し、前記第１ビームが照射された同一位置に非超解像パワーの第２ビームを所定時間差をおいて照射するピックアップ部と、前記第１ビームによる第１再生信号と前記第２ビームによる第２再生信号に基づいて最終再生信号を検出する信号処理部と、前記信号処理部からの出力信号を用いて前記ピックアップ部を制御する制御部とを備える。
【発明の効果】
【００２１】
本発明による超解像情報記録媒体のデータ再生方法は、分解能以下の大きさを有するマークで記録されたデータを再生する時、相対的に高いパワーの再生ビームの照射により光学的特性変化または温度分布変化が起こる超解像領域以外の周辺領域で反射されてくる信号を排除することによって、再生信号特性を向上させうる。また、本発明によってＴｉｍｅ  Ｄｅｌａｙを制御する方法を利用すれば、スポット間の距離を正確に制御することによって、再生信号の正確性をさらに向上させうる。このような方法は、ランダムパターンで記録されたデータを再生した信号の特性を改善することによって、超解像情報記録媒体の実用化に寄与する。
【００２２】
また、本発明による超解像情報記録媒体のデータ再生装置は、既存の再生装置を大きく変更せずとも、簡単な信号処理により超解像情報記録媒体の再生信号特性を改善しうる。
【００２３】
本発明によるデータ再生方法及び装置を用いて超解像情報記録媒体のデータ再生性能を向上させることによって、高品質、高密度、高容量の情報記録媒体を実用化しうる。
【００２４】
また、本発明の再生方法が適用される超解像情報記録媒体は、前記例で基板上に５層または７層の多層膜構造と、超解像層を特定材質に限定して示したが、これは例示的なものに過ぎず、超解像現象が起こる情報記録媒体に多様に適用できる。
【発明を実施するための最良の形態】
【００２５】
以下、本発明の望ましい実施形態による超解像情報記録媒体に記録されたデータを再生する方法及び装置について添付された図面を参照して詳細に説明する。
【００２６】
本発明によるデータ再生方法は、分解能限界を超える大きさを有する記録マークで記録された情報を再生しうる超解像情報記録媒体に適用される。
【００２７】
本発明による再生方法の説明に先立ち、本発明による再生方法が適用される超解像情報記録媒体の一例を説明した後、本発明を詳細に説明する。
【００２８】
図３を参照するに、超解像情報記録媒体は基板３１０と、この基板３１０上に順次に形成された第１誘電体層３２０、記録層３３０、第２誘電体層３４０、超解像再生層３５０、第３誘電体層３６０及びカバー層３７０を含む。ここで、情報の記録／再生に用いられるビームは対物レンズ（ＯＬ）で集束された状態でカバー層３７０を透過して入射される。
【００２９】
基板３１０は、ポリカーボネート、ポリメチルメタアクリレート（ＰＭＭＡ）、非晶質ポリオレフィン（ＡＰＯ）及びガラス材のうち、選択されたいずれか１つの材質から構成され、その一面、すなわち、第１誘電体層３２０との対向面には、入射ビームを反射させる反射膜がコーティング形成されたことが望ましい。
【００３０】
第１ないし第３誘電体層３２０、３４０、３６０は、光学的及び／または熱的特性を制御するための層である。カバー層３７０は、記録層３３０と超解像再生層３５０を含んで基板３１０上に形成された層を覆うように形成された層である。ここで、第１ないし第３誘電体層３２０、３４０、３６０とカバー層３７０は、必須的な構成要素ではなく、この層のない場合にも、情報を再生できるということは言うまでもない。
【００３１】
第１ないし第３誘電体層３２０、３４０、３６０は、酸化物、窒化物、炭化物、硫化物、フッ化物のうち、少なくともいずれか１つの物質で構成されることが望ましい。すなわち、第１ないし第３誘電体層３２０、３４０、３６０は、酸化ケイ素（ＳｉＯｘ）、酸化マグネシウム（ＭｇＯｘ）、酸化アルミニウム（ＡｌＯｘ）、酸化チタン（ＴｉＯｘ）、酸化バナジウム（ＶＯｘ）、酸化クロム（ＣｒＯｘ）、酸化ニッケル（ＮｉＯｘ）、酸化ジルコニウム（ＺｒＯｘ）、酸化ゲルマニウム（ＧｅＯｘ）、酸化亜鉛（ＺｎＯｘ）、窒化ケイ素（ＳｉＮｘ）、窒化アルミニウム（ＡｌＮｘ）、窒化チタン（ＴｉＮｘ）、窒化ジルコニウム（ＺｒＮｘ）、窒化ゲルマニウム（ＧｅＮｘ）、炭化ケイ素（ＳｉＣ）、硫化亜鉛（ＺｎＳ）、硫化亜鉛−二酸化硅素化合物（ＺｎＳ−ＳｉＯ２）、フッ化マグネシウム（ＭｇＦ２）のうちから、選択された少なくともいずれか１つの材質で構成されることが望ましい。
【００３２】
記録層３３０は、所定記録パワーで入射されたビームによって記録される記録マークの断面形状を長方形または長方形に近い形状にする構造を有する。ここで、記録マークは、再生に使われる光ピックアップの分解能以下の大きさのマークを含む。
【００３３】
ここで、超解像現象を用いて反復的にデータを再生するために、記録層３３０での化学反応温度Ｔｗは、超解像再生層３５０で超解像現象が起こる温度Ｔｒより高い。
【００３４】
したがって、前記記録マークを形成するために、記録層３３０は、互いに物理的性質が異なり、所定温度で互いに化学反応する少なくとも２種以上の物質（例えば、図３に示されたＡ、Ｂの２種の物質）が混合形成された一層構造の層である。
【００３５】
物質ＡとＢとが混合された形態の記録層３３０を例として説明すれば、記録される前、すなわち、物質ＡとＢとの間に化学反応が起こる以前には、記録層３３０は物質Ａと物質Ｂとが混合された膜の形態を有する。このような記録層３３０に対して所定パワーの記録用ビームが照射されれば、前記記録パワーのビームにより光スポットが集束された部位で、物質Ａと物質Ｂは、相互化学反応をしつつ、物質ＡとＢとが混合された形態とは異なる物性の化合物Ａ＋Ｂとなる。このように、変形された化合物Ａ＋Ｂが記録マークを形成し、この記録マークは、他の領域と比較すれば、異なる反射率を有する。
【００３６】
ここで、前記物質Ａの例としては、タングステン（Ｗ）を挙げられ、前記物質Ｂの例としては、ケイ素（Ｓｉ）を挙げられる。これは後述する超解像再生層としてＧｅ−Ｓｂ−Ｔｅ材質が採用された場合、再生時に超解像現象が起こる温度が約３５０℃であり、この再生温度以上で記録されねばならない点を考慮して決まったものである。すなわち、Ｗ−Ｓｉ合金は、反応温度が約６００℃であるために、再生パワーによる影響を受けない。
【００３７】
このようにＷ、Ｓｉ物質を選択した場合、両物質間の原子量、密度差を考慮して両物質間の原子数比がＷ：Ｓｉ≒１：２になるように混合して記録層３３０を形成することが望ましい。この場合、化学反応が起これば、記録パワーのビームに集束された記録層３３０の所定領域は、ＷＳｉ２化合物となる。ここで、ＷとＳｉとの間の原子数比は例示的なものに過ぎず、これに限定されるものではない。
【００３８】
また、前記記録層材料としてＷと、Ｓｉの両物質を例として説明したが、これは例示的なものに過ぎず、レーザビームによる記録可能な温度範囲内で前記再生温度より大きい温度で化学反応する物質範囲内で任意に２つ以上の物質を選択しうる。例えば、バナジウム（Ｖ）、クロム（Ｃｒ）、コバルト（Ｃｏ）、ニッケル（Ｎｉ）、銅（Ｃｕ）、ゲルマニウム（Ｇｅ）、セレン（Ｓｅ）、ニオブ（Ｎｂ）、モリブデン（Ｍｏ）、銀（Ａｇ）、錫（Ｓｎ）、アンチモン（Ｓｂ）、テルル（Ｔｅ）、チタン（Ｔｉ）、ジルコニウム（Ｚｒ）及びランタン系元素のうち、選択された少なくとも２種以上の物質を含みうる。
【００３９】
超解像再生層３５０は、入射されたビームスポットの一部領域の温度分布または光学的特性が変化する性質を有する相変化材料からなる層である。すなわち、超解像再生層３５０は、硫黄（Ｓ）、セレン（Ｓｅ）、テルル（Ｔｅ）のうち、少なくともいずれか１つの物質を含む材料であるカルコゲニド（Ｃｈａｌｃｏｇｅｎｉｄｅ）相変化材料で構成されることが望ましい。例えば、超解像再生層３５０は、セレン−硫黄（Ｓｅ−Ｓ）、セレン−テルル（Ｓｅ−Ｔｅ）、硫黄−テルル（Ｓ−Ｔｅ）、燐−硫黄（Ｐ−Ｓ）、燐−テルル（Ｐ−Ｔｅ）、燐−セレン（Ｐ−Ｓｅ）、砒素−硫黄（Ａｓ−Ｓ）、砒素−セレン（Ａｓ−Ｓｅ）、砒素−テルル（Ａｓ−Ｔｅ）、アンチモン−硫黄（Ｓｂ−Ｓ）、アンチモン−セレン（Ｓｂ−Ｓｅ）、アンチモン−テルル（Ｓｂ−Ｔｅ）、ケイ素−硫黄（Ｓｉ−Ｓ）、ケイ素−セレン（Ｓｉ−Ｓｅ）、ケイ素−テルル（Ｓｉ−Ｔｅ）、ゲルマニウム−硫黄（Ｇｅ−Ｓ）、ゲルマニウム−セレン（Ｇｅ−Ｓｅ）、ゲルマニウム−テルル（Ｇｅ−Ｔｅ）、錫−硫黄（Ｓｎ−Ｓ）、錫−セレン（Ｓｎ−Ｓｅ）、錫−テルル（Ｓｎ−Ｔｅ）、銀−硫黄（Ａｇ−Ｓ）、銀−セレン（Ａｇ−Ｓｅ）、銀−テルル（Ａｇ−Ｔｅ）、アルミニウム−硫黄（Ａｌ−Ｓ）、アルミニウム−セレン（Ａｌ−Ｓｅ）、アルミニウム−テルル（Ａｌ−Ｔｅ）、ガリウム−硫黄（Ｇａ−Ｓ）、ガリウム−セレン（Ｇａ−Ｓｅ）、ガリウム−テルル（Ｇａ−Ｔｅ）、インジウム−硫黄（Ｉｎ−Ｓ）、インジウム−セレン（Ｉｎ−Ｓｅ）、インジウム−テルル（Ｉｎ−Ｔｅ）系の化合物またはこれらに少なくともいずれか１つの元素を含む化合物を含む。望ましくは、超解像再生層３５０は、ゲルマニウム−アンチモン−テルル（Ｇｅ−Ｓｂ−Ｔｅ）または銀−インジウム−アンチモン−テルル（Ａｇ−Ｉｎ−Ｓｂ−Ｔｅ）系の相変化材料で構成される。
【００４０】
したがって、超解像再生層３５０は、一定温度で一結晶状から他の結晶状に変化してビームスポットの一部領域で温度分布変化または光学的特性変化が起こる超解像領域が生じ、分解能以下サイズを有する記録マークについて情報の再生を可能にする。
【００４１】
前記の通りに再生ビームにより温度分布変化または光学的特性変化が起こる超解像領域は、再生ビームのスポットの一部領域となり、この一部領域は、スポットの中心部または後半部に生じうる。
【００４２】
前記情報記録媒体は、超解像現象を説明するための一例に過ぎず、本発明による再生方法は、超解像現象が起こるいかなる情報記録媒体にも適用可能である。
【００４３】
次いで、本発明の望ましい実施形態による情報記録媒体のデータ再生方法について説明する。
【００４４】
本発明による情報記録媒体のデータ再生方法は、図４に示されたように相対的に高いパワーの第１ビームＢ１と相対的に低いパワーの第２ビームＢ２を情報記録媒体に照射する。情報記録媒体のトラックに沿ってマークが記録されており、第１ビームＢ１と第２ビームＢ２とが同一トラックの相異なる位置に隣接して照射される。
【００４５】
第１ビームＢ１と第２ビームＢ２は、１つの光源から照射されたビームを分光素子を用いて分光して生成されるか、相異なるパワーのビームを照射する２つの光源を用いて生成されうる。分光素子としては、グレイティング素子またはホログラムのような回折素子などを利用しうる。
【００４６】
前記第１ビームＢ１は、超解像現象が起こる再生パワー（超解像パワー）を有して、第２ビームＢ２は、超解像現象が起こらない再生パワー（非超解像パワー）を有し、第１ビームＢ１と第２ビームＢ２は、同時に照射される。
第１ビームＢ１が照射された領域は、図５Ａに示されたように、全体光スポットの一部領域に温度分布変化または光学的特性変化が起こり、超解像現象が発生する超解像領域をなし、前記一部の超解像領域の周辺領域では、超解像現象が発生しない。前記第２ビームＢ２が照射された領域は、図５Ｂに示されたように、全体光スポットで超解像現象が発生しない。
【００４７】
前記第１ビームＢ１の波長をλ、開口数をＮＡ１とする時、前記第１ビームＢ１の分解能はλ／（４＊ＮＡ１）となる。１つの光源を利用する時、前記第２ビームＢ２の波長は、前記第１ビームＢ１の波長と同様にλとなり、前記第２ビームＢ２の開口数をＮＡ２とする時、前記第２ビームＢ２の分解能はλ／（４＊ＮＡ２）となる。ビームの開口数は、ビームの半径を対物レンズの焦点距離で割った値に定義される。本発明は、全体光スポット領域で反射された信号から周辺領域で反射された信号を差し引くと、光スポットの超解像領域で反射される信号のみを抽出できるという点に基づく。
【００４８】
図６Ａは、本発明によるデータ再生方法によって図２Ａに示されたパターンで記録されたマークに超解像パワーのビームを照射して得た再生信号を表し、図６Ｂは、本発明によるデータ再生方法によって図２Ｂに示されたパターンで記録されたマークに非超解像パワーのビームを照射して得た再生信号を表し、図６Ｃは、図６Ａと図６Ｂとの差動信号を示す。
【００４９】
すなわち、図６Ａは、図２Ａに示されたマークパターンで記録されたマークを再生したものであって、超解像現象が生じた第１再生信号であり、図６Ｂは、超解像現象が起こらない第２再生信号である。前記第１ビームＢ１による第１再生信号には、光スポットの超解像領域の信号と周辺領域の信号とが混合されており、第２ビームＢ２による第２再生信号は、前記周辺領域の信号と同じ信号である。
【００５０】
このような第１再生信号と第２再生信号との時間差を補償処理した後、差動信号演算処理すれば、図６Ｃに示されたような第１再生信号と第２再生信号との差動信号値が得られる。つまり、前記差信号には、光スポットの周辺領域で反射された信号が排除され、解像領域の信号のみ残るので、周辺領域によるＩＳＩ問題が解消される。図６Ｃを参照するに、Ａ、Ｂ、Ｃ、Ｄ、Ｅ、Ｆ部分で分解能より小さな７５ｎｍマークとスペースとが正確に再生され、マークとスペースとの数に関係なく、信号レベルが一定に検出される。また、３００ｎｍマークとスペースとが７５ｎｍマークとスペースに隣接している場合にも、一定の信号レベルを有することが分かる。また、光スポットの全体サイズより小さな３００ｎｍのマークに対するハイレバルとローレベルとでフラット領域が現れたことから、再生に使われる有効ビームサイズが実際のスポットサイズより小さくなった効果が得られることを確認しうる。
【００５１】
一方、前記例では、単純に第１再生信号と第２再生信号との差信号を用いたが、その他にも多様な演算処理が可能であることは言うまでもない。
【００５２】
次いで、ランダム記録パターンで記録されたデータを本発明の再生方法によって再生した結果を図７Ａ、図７Ｂ及び図７Ｃに図示した。
【００５３】
図７Ａは、超解像パワーを有する第１ビームで再生した第１再生信号を示し、図７Ｂは、超解像パワーより小さな非超解像パワーを有する第２ビームで再生した第２再生信号を示すものであって、図７Ｃは、第１再生信号と第２再生信号との差動信号を示すものである。図７Ａや図７Ｂ、いずれも再生信号のレベルが一定していないために、一定したレベルでスライスを行っても、記録マークを正しく再生できないということが分かる。しかし、図７Ｃに示された第１再生信号と第２再生信号との差動信号は、再生信号のレベルが一定しており、よって、一定のレベルでスライスを行えば、記録マークを正しく再生可能となる。
【００５４】
図８は、図７Ｃの差動信号から得たアイパターンを示すものであって、再生信号のジッタ特性が非常に良好であるということが分かる。すなわち、超解像情報記録媒体でランダムパターンで記録されたデータについても、本発明によるデータ再生方法が有効に適用可能であるということを確認することができる。
【００５５】
このように本発明によるデータ再生方法は、超解像パワーのビームと非超解像パワーのビームとを時間差をおいて照射し、超解像パワーのビームによる第１再生信号と非超解像パワーのビームによる第２再生信号との時間差を補償処理した後、最適の方法で演算処理する。これにより、再生ビームのスポットで超解像領域の周辺領域による信号間干渉問題を解決して再生信号特性を簡単に向上させうる。
【００５６】
図９Ａは、本発明によるデータ再生方法を具現しうる再生装置を示す図である。
【００５７】
本発明によるデータ再生装置９００は、光ピックアップ９１０、記録／再生信号処理部９２０及び制御部９３０を含んで構成される。具体的に、光ピックアップ９１０は、ビームを照射する光源９１１、光源９１１から照射されたビームを分光させる分光素子９１２、分光素子９１２を通過したビームを平行にするコリメーティングレンズ９１３、入射ビームの進行経路を変換するビームスプリッタ９１４、ビームスプリッタ９１４を通過したビームを情報記録媒体３００に集束させる対物レンズ９１５を備える。
【００５８】
光源９１１から出射されたビームは、分光素子９１２を通じて第１ビームと第２ビームとに分光される。第１ビームと第２ビームのパワーは、分光素子９１２の回折パターンを変化させて調節しうる。分光素子９１２としては、グレイティング素子またはホログラムのような回折素子などを用いられる。
【００５９】
そして、情報記録媒体３００で反射された第１ビームと第２ビームとがビームスプリッタ９１４により反射されて光検出器９１５に受光される。光検出器９１５に受光された第１ビームと第２ビームは、電気的信号に変換されて信号処理部９２０を通じて再生信号に出力される。
【００６０】
信号処理部９２０では、光検出器９１５を通じて光電変換された第１ビーム信号を増幅器９２１により増幅させ、第２ビーム信号は補償部９２２を通じて時間遅延を補償する。そして、前記第１ビーム再生信号と第２ビーム再生信号は、演算部９２３を通じて演算処理され、チャンネル１  Ｃｈ１を通じてＲＦ信号として出力され、チャンネル２  Ｃｈ２を通じてプッシュプル信号として出力される。
【００６１】
制御部９３０では、分解能以下の大きさを有する記録マークを再生するために情報記録媒体の材質特性によって要求される超解像パワーのビームと非超解像パワーのビームとが照射されるように光ピックアップ９１０を制御する。そして、制御部９３０は、前記ＲＦ信号とプッシュプル信号を用いてフォーカシングサーボとトラッキングサーボを具現する。
【００６２】
分光素子９１２についてさらに詳細に説明する。前述した超解像パワーを有する第１ビームと非超解像パワーを有する第２ビームは、パワー条件以外にも収差量（ａｂｅｒｒａｔｉｏｎ  ａｍｏｕｎｔ）条件をさらに満足させねばならない。すなわち、前記第１ビームの収差量と前記第２ビームの収差量は、実質的に同じであることが要求される。前記第１ビームの収差量と前記第２ビームの収差量とが異なるという意味は、前記第１ビームにより超解像情報記録媒体に集束されるスポットの形状と前記第２ビームにより集束されるスポットの形状とに差があるということを意味する。前記第１ビームによるスポットの形状と前記第２ビームによるスポットの形状とに差があるならば、結果的に本発明の目的を達成し難くなる。
【００６３】
前記第１ビームと前記第２ビームとのパワー条件及び収差量条件を満足させるために本発明の一実施形態によれば、分光素子９１２としてブレーズ型（ｂｌａｚｅ  ｔｙｐｅ）のグレイティング素子を用いる。
【００６４】
図９Ｂは、本発明の一実施形態によるブレーズ型グレイティング素子９１２を示す図である。図９Ｂに示されたブレーズ型グレイティング素子９１２に光源９１１から出射されたビーム９５１が入射されれば、０次回折ビーム９５２、＋１次回折ビーム９５３、−１次回折ビーム９５４及び±２次回折ビーム（図示せず）ないし±Ｎ次回折ビーム（図示せず）の複数の回折ビームが出射される。この際、Ｎは理論的には、無限大の整数である。
【００６５】
＋１次回折ビーム９５３の収差量と−１次回折ビーム９５４の収差量は、ほぼ同じである。また、当業者ならば、＋１次回折ビーム９５３は、高いパワーを有し、−１次回折ビーム９５４は、相対的に低いパワーを有するか、または＋１次回折ビーム９５３は低いパワーを有し、−１次回折ビーム９５４は、相対的に高いパワーを有するように本発明の一実施形態によるブレーズ型グレイティング素子９１２を容易に具現しうる。一方、０次回折ビーム９５２のパワーは、非常に弱いので無視しても良い。
【００６６】
図９Ａに示されたデータ再生装置は、第１ビーム、第２ビームを生成するために分光素子を備えたが、その他にも図１０に示されたように超解像パワーのビームを照射する第１光源９４１ａと非超解像パワーのビームを照射する第２光源９４２ａとを独立的に備えて、第１ビームと第２ビームとを生成することが可能である。ここでは、第１光源９４１ａと第２光源９４１ｂとをパッケージ化した光モジュールで構成した例を示した。しかし、光モジュールで構成せず、第１光源と第２光源とを独立的に構成し、第１光源と第２光源とを異なる位置に配置することも可能である。このように第１光源と第２光源とを独立的に備える場合には、第１ビームと第２ビームとを作るための分光素子を備える必要がない。
【００６７】
図１０に示された装置で、図９と同じ参照番号を使用する部材は、前記と同じ機能及び作用を行う部材であって、ここではその詳細な説明を省略する。
【００６８】
一方、光検出器９４２は、第１光源から出射された第１ビームが情報記録媒体３００で反射されてオンビームを受光するための第１光検出部９４２ａと第２光源から出射された第２ビームが情報記録媒体３００で反射されたビームを受光するための第２光検出部９４２ｂを備える。第１ビームによる第１再生信号と第２ビームによる第２再生信号との時間遅延を補償処理した後、演算処理してＩＳＩが解消された信号特性に優れたＲＦ信号が得られる。
【００６９】
このように第１光源と第２光源とを独立的に構成する場合には、第１光源と第２光源のうち、いずれか１つをデータの記録のための光源として使用できる利点がある。さらに、相異なるフォーマットの情報記録媒体に対して光ピックアップを互換的に使用できるように第１光源と第２光源とを構成できるので、その適用範囲が拡大されうる。
【００７０】
以上、超解像パワーを有する第１ビームと非超解像パワーを有する第２ビームの二つのビームを超解像情報記録媒体に照射する場合を例として本発明の実施形態を説明した。しかし、本発明の他の実施形態によれば、分光素子または複数の光源を用いて非超解像パワーを有するビームを複数個生成して、本発明によるデータ再生を行える。すなわち、非超解像パワーを有する複数のビームを超解像情報記録媒体に照射した後、非超解像パワーを有するそれぞれのビームから得た再生信号をいずれも用いて下記式（１）によって最終的な再生信号を得る。
【００７１】
【数１】
2008505426.tif 000003
前記式（１）で、ＲＦ１は、超解像パワーを有するビームから得た再生信号であり、ＲＦ２ないしＲＦＮは非超解像パワーを有する（Ｎ−１）個のビームから得た再生信号である。ＲＦ２ないしＲＦＮは、ＲＦ１との時間差が補償された信号である。ｇ１ないしｇＮ−１は、所定の係数である。当業者ならば、前記式（１）によって最終ＲＦ信号が得られる。
【００７２】
図１１は、本発明によって図９または図１０に示された再生装置９００により行われる再生方法の過程を示すフローチャートである。図１１を参照するに、まず、光ピックアップ９１０は、超解像パワーの第１ビームを情報記録媒体３００に照射する（１１００）。
【００７３】
次いで、光ピックアップ９１０は、第１ビームが照射された情報記録媒体３００の同じ位置に非超解像パワーの第２ビームを所定時間差をおいて照射する（１１１０）。ここで、「所定時間差をおいて照射する」という意味は、実際に光ピックアップ９１０が時間差をおいて意図的に照射するというものではなく、図４に示されたように同じトラックに沿って第１ビームが先に過ぎてから第２ビームが過ぎることによって発生する時間差を意味する。
【００７４】
信号処理部９２０は、このように第１ビームが情報記録媒体に照射されて反射された第１ビームにより第１再生信号と、第２ビームが情報記録媒体に照射されて反射された第２ビームによる第２再生信号との時間差を補償し、第１再生信号から第２再生信号を差し引くなどの演算処理を行って最終再生信号を出力する（１１２０）。
【００７５】
高いパワーで超解像再生を可能にする一方、第１再生信号から第２再生信号を差し引く演算処理を行う場合、両信号間の時間差（タイム  ディレー）を正確に反映しなければ、演算後の信号特性が悪くなる。すなわち、高いパワーで超解像再生を可能にするスポット１から第１再生信号を得て、低いパワーで超解像再生でない一般再生を行うスポット２から第２再生信号を得た後、図９または図１０に示されたような増幅器９２２により第２再生信号に適切なゲインを与えて減算演算を行う。この際、遅延部９２１により両スポットの空間的差から発生する信号の時間的差を調節するが、このような時間的差が正確に反映されなければ、再生信号の品質が低下する。もちろん、最初に両スポット間の空間的距離と線速度を知っていれば、時間的差を導出することができるが、ディスク再生においては多様な外乱が発生しうる。例えば、スピンドルモータの回転速度の微差やラジアルまたはタンジェンシャルチルトが発生すれば、実際ディスク内でのスポット間の距離に変動が生じ、これを適切に制御しなければ、再生信号の品質が低下する。
【００７６】
図１２は、ディレータイムによる減算後、信号のジッタをシミュレーションして得た結果を示す図である。図１２に示されたシミュレーション条件で、スポットの線速度は、５ｍ／ｓとし、ジッタ１０％を基準とする時、±０．０４Ｔのマージンが得られ、これは±０．０３ｎｓｅｃに該当し、ディレータイムのマージンが非常に狭いということが分かる。したがって、ディレータイムを正確に制御しうる手段が必要であるということを確認できる。
【００７７】
第１再生信号と第２再生信号との時間差を正確に制御するためにいくつかの方法を考慮しうる。第１の方法は、ジッタまたはｂＥＲを利用することであり、第２の方法は、プレピット（Ｐｒｅ−Ｐｉｔ）または所定の判別情報を用いることであり、第３の方法は、ウォッブル信号を用いることである。ウォッブル信号を利用する方法は、ウォッブル信号の不連続的なポイントを利用しうる。
【００７８】
まず、時間差を正確に制御するためにジッタまたはｂＥＲを用いる方法を説明する。ジッタまたはｂＥＲを用いる方法は、第１再生信号と第２再生信号とに基づいて得られた最終再生信号のジッタまたはｂＥＲをモニタリングし、このようなジッタまたはｂＥＲが最小値になるように時間差を補償する方法である。
【００７９】
図１３は、図９または図１０に示された再生装置でジッタを用いた補償を行う信号処理部の一例を示す図である。図１３を参照するに、情報記録媒体３００から第１ビームにより反射された光は、スポット１  ９４２ａにより検出され、第２ビームにより反射された光は、スポット２  ９４２ｂにより検出される。
【００８０】
信号処理部１４２０の遅延部１４２１は、スポット１  ９４２ａから出力された光を受信し、スポット１とスポット２との時間差を補償するために１次時間差ほど遅延させ、これを演算部１４２３に提供する。増幅部１４２２は、スポット２  ９４２ｂから出力された光を受信し、これを増幅して演算部１４２３に提供する。演算部１４２３は、第１再生信号から第２再生信号を差し引く演算を行う。
【００８１】
ここで、１次時間差は、第１スポットと第２スポットとの時間差を計算しうる基本的な方法であり、図１２に示されたように第１ビームＢ１と第２ビームＢ２との間の距離ｄとスポットの線速度ｖから第１ビームＢ１と第２ビームＢ２との時間差ｔをｄ／ｖにより求めた値である。遅延部１４２１は、１次的にこのような１次時間差ほど第１再生信号を遅延させることによって、第１スポットと第２スポットとの時間差を補償しうる。
【００８２】
また、本発明の一例によって遅延部１４２１は、ジッタ値を用いて第１スポットと第２スポットとの時間差をさらに補償する。具体的には、演算部１４２３により出力された再生信号から測定されたジッタまたはｂＥＲをモニタリングし、ジッタ補償部１４２４は、このようなジッタまたはｂＥＲを最小とする補償値を計算して、１次時間差に、このような補償値を加減して２次時間差を求め、このような２次時間差を遅延部１４２１に提供する。これにより、遅延部１４２１は、受信された２次時間差に基づいて第１再生信号を遅延させることによって、第１スポットと第２スポットとの時間差をさらに精密に制御しうる。
【００８３】
図１５は、本発明の一例によってジッタを用いて第１ビームと第２ビームとの時間差を補償する過程を示すフローチャートである。図１５を参照するに、第１スポットと第２スポットとの中心間の距離と線速度から１次時間差を求める（１５００）。
【００８４】
次いで、１次時間差に基づいてスポット１の検出信号を遅延させて、スポット２の検出信号と演算処理して再生信号を求める（１５１０）。
【００８５】
次いで、再生信号のジッタまたはｂＥＲを求め、ジッタまたはｂＥＲが最小となる２次時間差を計算する（１５２０）。
【００８６】
次いで、２次時間差に基づいてスポット１の検出信号を遅延させてスポット２の検出信号と演算処理して再生信号を求める（１５３０）。
【００８７】
次いで、時間差を正確に制御するためにプリピットまたは所定の判別情報を利用する方法を説明する。所定の判別情報は、ユーザデータ以外に所定の付加情報を容易に判別できるように周期的に記録した付加情報を言う。
【００８８】
まず、図１６を参照してプリピットを簡略に説明する。図１６は、トラックの所定領域にプリピットが生成された超解像情報記録媒体の一例を示す図である。ＤＶＤ−ＲＡＭのような光記録媒体は、ヘッダ情報が保存されるヘッダ領域とユーザデータが記録されるユーザデータ領域とを備える。ＤＶＤ−ＲＡＭの場合、セクタ当り１２８ｂｙｔｅｓのヘッダ情報を有し、ヘッダ情報は、ディスク基板の製造時にプリピットで記録される。基板の製造時にプリピットで構成されているヘッダ領域に記録された情報を通じてピックアップ装置は、セクタ番号、セクタタイプ、ランドトラック／グルーブトラックなどを認識し、サーボ制御も行える。すなわち、凹凸型プリピットが形成されているヘッダ領域は、セクタの既定の領域に配置され、記録／再生装置に備えられたピックアップ装置は、ヘッダ領域に記録された情報を通じて所望の位置に容易に探索して行く。
【００８９】
図１６を参照するに、本発明が適用される超解像情報記録媒体には、ユーザデータが記録されるユーザデータ領域であるランドトラック及びグルーブトラックが形成されており、ヘッダ情報がプリピットで記録されるヘッダ領域１６００が配置されている。
【００９０】
超解像情報記録媒体にもヘッダ情報のために媒体の所定領域に図１６に示されたようにプリピットで形成されたヘッダ領域が設けられうる。
【００９１】
図１７は、本発明の他の例によってプリピットまたは判別情報を用いて第１ビームと第２ビームとの時間差を補償する過程を示すフローチャートである。
【００９２】
まず、第１スポットと第２スポットとの中心間の距離と線速度から１次時間差を求める（１７００）。
【００９３】
次いで、１次時間差に基づいてスポット１の検出信号を遅延させてスポット２の検出信号と演算処理して再生信号を求める（１７１０）。
【００９４】
次いで、第１ビームによりプリピットまたは判別情報を再生した時間と第２ビームによりプリピットまたは判別情報を再生した時間との差を用いて、所定の時間差を補償する（１７２０）。
【００９５】
次いで、前記補償された所定の時間差に基づいてスポット１の検出信号を遅延させてスポット２の検出信号と演算処理して再生信号を求める（１７３０）。
【００９６】
このようにプリピットまたはユーザが記録した情報以外に付加的に容易に判別できる情報が記録されているならば、前述したように先行ビームがプリピットまたは判別情報を再生した時点から後続ビームがプリピットまたは判別情報を再生するまでの時間を時間差値として利用しうる。
【産業上の利用可能性】
【００９７】
本発明は、超解像情報記録媒体のデータ再生方法及び装置に適用しうる。
【図面の簡単な説明】
【００９８】
【図１】超解像情報記録媒体に照射された再生ビームのスポットで超解像現象が起こる領域を説明するための参考図である。
【図２Ａ】分解能以下の大きさを有するマークと分解能以上の大きさを有するマークとで記録された記録パターンを示す図である。
【図２Ｂ】図２Ａの記録パターンで記録された情報を超解像パワーのビームで再生して得たＲＦ信号を示す図である。
【図３】本発明による再生方法が適用される超解像情報記録媒体の一例の概略的な断面図である。
【図４】本発明の望ましい実施形態によるデータ再生方法によって超解像パワーのビームと非超解像パワーのビームとを情報記録媒体に照射した状態を示す図である。
【図５】本発明の望ましい実施形態によるデータ再生方法によって超解像パワーのビームと非超解像パワーのビームとを情報記録媒体に照射した時、各ビームの領域を拡大して示す図である。
【図６Ａ】本発明によるデータ再生方法によって図２Ａに示されたパターンで記録されたマークに超解像パワーのビームを照射して得た再生信号を示す図である。
【図６Ｂ】本発明によるデータ再生方法によって図２Ｂに示されたパターンで記録されたマークに非超解像パワーのビームを照射して得た再生信号を示す図である。
【図６Ｃ】図６Ａと図６Ｂとの差動信号を示す図である。
【図７Ａ】本発明によるデータ再生方法によってランダムパターンで記録されたマークに超解像パワーのビームを照射して得た再生信号を示す図である。
【図７Ｂ】本発明によるデータ再生方法によってランダムパターンで記録されたマークに非超解像パワーのビームを照射して得た再生信号を示す図である。
【図７Ｃ】図７Ａと図７Ｂとの差動信号を示す図である。
【図８】図７Ｃに示された差動信号から得たアイパターンである。
【図９Ａ】本発明の望ましい実施形態による超解像情報記録媒体のデータ再生装置の概略図である。
【図９Ｂ】本発明の一実施形態によるブレーズ型グレイティング素子を示す図である。
【図１０】本発明の望ましい実施形態による超解像情報記録媒体のデータ再生装置の変形例を示す概略図である。
【図１１】本発明による再生方法の過程を示すフローチャートである。
【図１２】時間差による減算後信号のジッタをシミュレーションして得た結果を示す図である。
【図１３】図１１に示された再生方法での１次時間差を説明するための図である。
【図１４】図９または図１０に示された再生装置でジッタを用いた補償を行う信号処理部の一例を示す図である。
【図１５】本発明の一例によってジッタを用いて第１ビームと第２ビームとの時間差を補償する過程を示すフローチャートである。
【図１６】トラックの所定領域にプリピットが生成された超解像情報記録媒体の一例を示す図である。
【図１７】本発明の他の例によってプリピットまたは判別情報を用いて第１ビームと第２ビームとの時間差を補償する過程を示すフローチャートである。
【図１】
2008505426.tif 000004
【図２Ａ】
2008505426.tif 000005
【図２Ｂ】
2008505426.tif 000006
【図３】
2008505426.tif 000007
【図４】
2008505426.tif 000008
【図５Ａ】
2008505426.tif 000009
【図５Ｂ】
2008505426.tif 000010
【図６Ａ】
2008505426.tif 000011
【図６Ｂ】
2008505426.tif 000012
【図６Ｃ】
2008505426.tif 000013
【図７Ａ】
2008505426.tif 000014
【図７Ｂ】
2008505426.tif 000015
【図７Ｃ】
2008505426.tif 000016
【図８】
2008505426.tif 000017
【図９Ａ】
2008505426.tif 000018
【図９Ｂ】
2008505426.tif 000019
【図１０】
2008505426.tif 000020
【図１１】
2008505426.tif 000021
【図１２】
2008505426.tif 000022
【図１３】
2008505426.tif 000023
【図１４】
2008505426.tif 000024
【図１５】
2008505426.tif 000025
【図１６】
2008505426.tif 000026
【図１７】
2008505426.tif 000027
【国際調査報告】
2008505426.tif 000028
2008505426.tif 000029